(57)【要約】【課題】本発明は、デジタルカメラの不正使用の結果の撮影画像データの印刷を適切に防止する印刷装置、印刷制御プログラム及び記録媒体に関する。【解決手段】印刷装置１は、デジタルカメラからの印刷対象の画像データの印刷処理に対して所定の印刷許可条件として、例えば、デジタルカメラが所定のデジタルカメラであること、画像データが所定の画素数やファイル形式等の画像データであること等を設定し、該印刷許可条件が満たされている画像データの画像のみを印刷出力する。したがって、利用性を向上させつつ、デジタルカメラの不正使用及び撮影された画像データの不正印刷を適切に防止することができる。【選択図】          図１
2008270934.tif 000002
【特許請求の範囲】
【請求項１】
デジタルカメラが接続され、該デジタルカメラから印刷対象の画像データを受け取って画像を印刷出力する印刷装置において、前記デジタルカメラからの前記印刷対象の画像データの印刷処理に所定の印刷許可条件を設定し、該印刷許可条件が満たされている画像データの画像のみを印刷出力することを特徴とする印刷装置。
【請求項２】
前記印刷許可条件は、前記デジタルカメラが予め印刷許可対象のデジタルカメラとして登録されているデジタルカメラであることを特徴とする請求項１記載の印刷装置。
【請求項３】
前記印刷許可条件は、前記印刷対象の画像データが前記デジタルカメラに固定的に搭載されている内部メモリに格納されている画像データであることを特徴とする請求項１または請求項２記載の印刷装置。
【請求項４】
前記印刷許可条件は、前記印刷対象の画像データが予め印刷許可対象の画素数として登録されている所定の画素数の画像データであることを特徴とする請求項１から請求項３のいずれかに記載の印刷装置。
【請求項５】
前記印刷許可条件は、前記印刷対象の画像データが予め印刷許可対象のファイル形式として登録されている所定のファイル形式の画像データであることを特徴とする請求項１から請求項４のいずれかに記載の印刷装置。
【請求項６】
前記印刷許可条件は、前記印刷対象の画像データに付加されている付加情報としての日時情報が予め印刷許可対象の日時として登録されている所定の日時であることを特徴とする請求項１から請求項５のいずれかに記載の印刷装置。
【請求項７】
前記印刷許可条件は、前記印刷対象の画像データに付加されている付加情報としての位置情報が予め印刷許可対象の位置として登録されている所定の位置であることを特徴とする請求項１から請求項６のいずれかに記載の印刷装置。
【請求項８】
前記印刷装置は、複数の画像を所定の順序で１枚に集約して印刷するインデックス印刷を行う場合、前記印刷許可条件を満たす画像データの画像のみを集約してインデックス印刷することを特徴とする請求項１から請求項７のいずれかに記載の印刷装置。
【請求項９】
前記印刷装置は、前記印刷対象の画像データが前記印刷許可条件を満たさず印刷不可の場合、その旨を報知出力することを特徴とする請求項１から請求項８のいずれかに記載の印刷装置。
【請求項１０】
前記印刷装置は、前記印刷対象の画像データの画像を印刷する場合、所定のフォーマット画像に該印刷対象の画像データの画像を埋め込んで印刷することを特徴とする請求項１から請求項９のいずれかに記載の印刷装置。
【請求項１１】
前記印刷装置は、前記印刷対象の画像データの画像を印刷する場合、予め設定されている所定の印刷媒体に対してのみ印刷出力することを特徴とする請求項１から請求項１０のいずれかに記載の印刷装置。
【請求項１２】
前記印刷装置は、前記印刷対象の画像データの画像を印刷出力する場合、該印刷対象の画像データの画像の印刷出力に先立って所定の宛先に該画像の印刷を行う旨を通知する通知電子メールを送信することを特徴とする請求項１から請求項１１のいずれかに記載の印刷装置。
【請求項１３】
前記印刷装置は、前記通知電子メールに前記印刷対象の画像データを添付して送信することを特徴とする請求項１２記載の印刷装置。
【請求項１４】
前記印刷装置は、前記通知電子メールの送信に先立って、該通知電子メールの送信に対する許可／不許可の問い合わせを報知出力し、該通知電子メールの送信に対して許可があった場合のみ、該通知電子メールを送信した後、該通知電子メールにかかる前記印刷対象の画像データの画像の印刷出力を行うことを特徴とする請求項１２または請求項１３記載の印刷装置。
【請求項１５】
前記印刷装置は、前記通知電子メールに、前記印刷対象の画像データに付加されている付加情報のうち所定の情報を記載することを特徴とする請求項１２から請求項１４のいずれかに記載の印刷装置。
【請求項１６】
前記印刷装置は、前記デジタルカメラから該デジタルカメラを特定するデジタルカメラ特定情報を取得して、該デジタルカメラ特定情報を前記通知電子メールに記載することを特徴とする請求項１２から請求項１５のいずれかに記載の印刷装置。
【請求項１７】
印刷装置に請求項１から請求項１６のいずれかに記載の印刷装置として実行させることを特徴とする印刷制御プログラム。
【請求項１８】
請求項１７記載の印刷制御プログラムを記録したことを特徴とする記録媒体。
【発明の詳細な説明】
【技術分野】
【０００１】
本発明は、印刷装置、印刷制御プログラム及び記録媒体に関し、詳細には、デジタルカメラの不正使用の結果の撮影画像データの印刷を適切に防止する印刷装置、印刷制御プログラム及び記録媒体に関する。
【背景技術】
【０００２】
近年、静止画を撮影するデジタルスチルカメラや動画を撮影するデジタルビデオカメラが普及するとともに、動画を撮影可能なデジタルスチルカメラや静止画を撮影可能なデジタルビデオカメラが出現（以下の説明では、これらの全てのカメラを総称してデジタルカメラという。）してきており、これらのデジタルカメラにおいては、撮影した画像データを内部のＲＡＭ（Random Access Memory）、ハードディスク等の内部メモリに記録するだけでなく、着脱可能な外部メモリ、例えば、スマートメディア、 コンパクトフラッシュ（ＣＦ：登録商標）、マルチメディアカード（ＭＭＣ）、ＳＤカード（Secure Digital：ＳＤ）、メモリスティック（Memory Stick：ＭＳ）等のスロットに直接挿入される外部メモリやＤＶＤ（Digital Video Disk）、ＣＤ−Ｒ（Compact Disc Recordable ）、ＣＤ−ＲＷ（Compact Disc Rewritable ）等のＵＳＢ接続される各種外部メモリに記録する。
【０００３】
このようなデジタルカメラの内部メモリや外部メモリの画像データを、該デジタルカメラを直接接続して、または、外部メモリをインターフェイスに接続して印刷出力する印刷装置が出現している（特許文献１、特許文献２参照）。
【０００４】
このような従来のデジタルカメラで撮影した画像データを印刷する印刷装置は、デジタルカメラの内部メモリや外部メモリの画像データを制約無く印刷出力するため、例えば、業務用のデジタルカメラを利用して、私用で撮影した画像データを不正に印刷されるおそれがある。
【０００５】
そして、従来、デジタルデータに識別コードが付加されていて、受信したデジタルデータに付加されている識別コードに基づいて該デジタルデータの処理内容を決定する技術が提案されている（特許文献３参照）。
【０００６】
【特許文献１】特開２００５−１５１５２１号公報
【特許文献２】特開２００６−２５４１２５号公報
【特許文献３】特開２００２−２８１２７７号公報
【発明の開示】
【発明が解決しようとする課題】
【０００７】
しかしながら、上記特許文献３記載の従来技術にあっては、デジタルデータ毎に識別コードを付加して処理内容を決定しているため、この従来技術をデジタルカメラの撮影された画像データに適用した場合、撮影された多数の画像データ毎に識別コードを付加して該識別コード毎に画像データの処理内容を決定する必要があり、利用性が悪いとともに、業務用デジタルカメラで私的に利用して撮影された画像データの印刷を適切に防止して、不正使用を防止したり、デジタルカメラで撮影された画像データの機密を適切に保護することができないという問題があった。
【０００８】
そこで、本発明は、デジタルカメラの不正使用及び撮影された画像データの不正印刷を適切に防止することのできる印刷装置、印刷制御プログラム及び記録媒体を提供することを目的としている。
【課題を解決するための手段】
【０００９】
請求項１記載の発明の印刷装置は、デジタルカメラが接続され、該デジタルカメラから印刷対象の画像データを受け取って画像を印刷出力する印刷装置において、前記デジタルカメラからの前記印刷対象の画像データの印刷処理に所定の印刷許可条件を設定し、該印刷許可条件が満たされている画像データの画像のみを印刷出力することにより、上記目的を達成している。
【００１０】
この場合、例えば、請求項２に記載するように、前記印刷許可条件は、前記デジタルカメラが予め印刷許可対象のデジタルカメラとして登録されているデジタルカメラであってもよい。
【００１１】
また、例えば、請求項３に記載するように、前記印刷許可条件は、前記印刷対象の画像データが前記デジタルカメラに固定的に搭載されている内部メモリに格納されている画像データであってもよい。
【００１２】
さらに、例えば、請求項４に記載するように、前記印刷許可条件は、前記印刷対象の画像データが予め印刷許可対象の画素数として登録されている所定の画素数の画像データであってもよい。
【００１３】
また、例えば、請求項５に記載するように、前記印刷許可条件は、前記印刷対象の画像データが予め印刷許可対象のファイル形式として登録されている所定のファイル形式の画像データであってもよい。
【００１４】
さらに、例えば、請求項６に記載するように、前記印刷許可条件は、前記印刷対象の画像データに付加されている付加情報としての日時情報が予め印刷許可対象の日時として登録されている所定の日時であってもよい。
【００１５】
また、例えば、請求項７に記載するように、前記印刷許可条件は、前記印刷対象の画像データに付加されている付加情報としての位置情報が予め印刷許可対象の位置として登録されている所定の位置であってもよい。
【００１６】
さらに、例えば、請求項８に記載するように、前記印刷装置は、複数の画像を所定の順序で１枚に集約して印刷するインデックス印刷を行う場合、前記印刷許可条件を満たす画像データの画像のみを集約してインデックス印刷してもよい。
【００１７】
また、例えば、請求項９に記載するように、前記印刷装置は、前記印刷対象の画像データが前記印刷許可条件を満たさず印刷不可の場合、その旨を報知出力してもよい。
【００１８】
さらに、例えば、請求項１０に記載するように、前記印刷装置は、前記印刷対象の画像データの画像を印刷する場合、所定のフォーマット画像に該印刷対象の画像データの画像を埋め込んで印刷してもよい。
【００１９】
また、例えば、請求項１１に記載するように、前記印刷装置は、前記印刷対象の画像データの画像を印刷する場合、予め設定されている所定の印刷媒体に対してのみ印刷出力してもよい。
【００２０】
さらに、例えば、請求項１２に記載するように、前記印刷装置は、前記印刷対象の画像データの画像を印刷出力する場合、該印刷対象の画像データの画像の印刷出力に先立って所定の宛先に該画像の印刷を行う旨を通知する通知電子メールを送信してもよい。
【００２１】
また、例えば、請求項１３に記載するように、前記印刷装置は、前記通知電子メールに前記印刷対象の画像データを添付して送信してもよい。
【００２２】
さらに、例えば、請求項１４に記載するように、前記印刷装置は、前記通知電子メールの送信に先立って、該通知電子メールの送信に対する許可／不許可の問い合わせを報知出力し、該通知電子メールの送信に対して許可があった場合のみ、該通知電子メールを送信した後、該通知電子メールにかかる前記印刷対象の画像データの画像の印刷出力を行ってもよい。
【００２３】
また、例えば、請求項１５に記載するように、前記印刷装置は、前記通知電子メールに、前記印刷対象の画像データに付加されている付加情報のうち所定の情報を記載してもよい。
【００２４】
さらに、例えば、請求項１６に記載するように、前記印刷装置は、前記デジタルカメラから該デジタルカメラを特定するデジタルカメラ特定情報を取得して、該デジタルカメラ特定情報を前記通知電子メールに記載してもよい。
【００２５】
請求項１７記載の発明の印刷制御プログラムは、印刷装置に請求項１から請求項１６のいずれかに記載の印刷装置として実行させることにより、上記目的を達成している。
【００２６】
請求項１８記載の発明の記録媒体は、請求項１７記載の印刷制御プログラムを記録することにより、上記目的を達成している。
【発明の効果】
【００２７】
本発明によれば、デジタルカメラからの印刷対象の画像データの印刷処理に対して所定の印刷許可条件を設定し、該印刷許可条件が満たされている画像データの画像のみを印刷出力するので、利用性を向上させつつ、デジタルカメラの不正使用及び撮影された画像データの不正印刷を適切に防止することができ、業務用デジタルカメラ等の適切な利用と画像データの機密の保護を図ることができる。
【発明を実施するための最良の形態】
【００２８】
以下、本発明の好適な実施例を添付図面に基づいて詳細に説明する。なお、以下に述べる実施例は、本発明の好適な実施例であるから、技術的に好ましい種々の限定が付されているが、本発明の範囲は、以下の説明において特に本発明を限定する旨の記載がない限り、これらの態様に限られるものではない。
【実施例１】
【００２９】
図１及び図２は、本発明の印刷装置、印刷制御プログラム及び記録媒体の一実施例を示す図であり、図１は、本発明の印刷装置、印刷制御プログラム及び記録媒体の一実施例を適用した印刷装置１の要部ブロック構成図である。
【００３０】
図１において、印刷装置１は、主制御部２、記憶部３、表示操作部４、プロッタ部５、デジタルカメラＩ／Ｆ部６及びネットワーク通信部７等を備えており、各部は、バス８で接続されている。
【００３１】
記憶部３は、印刷装置１の基本プログラムや後述する印刷制御プログラム及びその他のシステムデータ、特に、印刷制御プログラムに基づく印刷対象の画像データの印刷許可条件等を記憶しているとともに、デジタルカメラから受信した印刷対象の画像データを記憶する。
【００３２】
主制御部２は、記憶部３のプログラムに基づいて印刷装置１の各部を制御して、印刷装置１としての基本処理を実行するとともに、後述する印刷制御処理を実行する。
【００３３】
表示操作部４は、各種操作キーが設けられているとともに、表示部、例えば、液晶ディスプレイが設けられており、操作キーからは、印刷装置１の各種動作の指示操作が行われ、該入力された指示内容をや印刷装置１から操作者に通知する各種情報、特に、後述する印刷制御処理で操作者に通知する各種情報を表示部に表示出力する。
【００３４】
プロッタ部５は、所定の印刷方式、例えば、昇華方式、インク噴射方式等で画像を用紙やフィルム等の印刷媒体（以下の説明では、用紙に印刷するものとして説明する。）に印刷出力する。すなわち、プロッタ部５は、図示しないデジタルカメラから送られてきて記憶部３に格納されている画像ファイルの画像を所定の描画データに変換して用紙に上記印刷方式で印刷出力する。
【００３５】
デジタルカメラＩ／Ｆ部６には所定のインターフェイス形式、例えば、ＵＳＢ（Universal Serial Bus）方式等で図示しないデジタルカメラが直接接続され、デジタルカメラから送られてくる画像ファイルを受信し、主制御部２が、この画像ファイルを記憶部３に所定のファイル形式で記憶する。なお、デジタルカメラＩ／Ｆ部６とデジタルカメラとの接続は、有線接続であってもよいし、無線接続であってもよい。
【００３６】
ネットワーク通信部７は、ＬＡＮ（Local Area Network）等の所定のネットワークＮＷに接続され、主制御部２の制御下で、ネットワークＮＷに接続されている管理者用のパーソナルコンピュータ等との間で電子メールの送受信を行う。
【００３７】
デジタルカメラにおける画像の記録は、一般に、カメラファイルシステムの規格である、いわゆるＤＣＦ（Design rule for Camera File system）規格およびカメラ画像データフォーマットの規格であるＥｘｉｆ（Exchangeable Image File format for digital still camera）規格によって行なわれるが、Ｅｘｉｆ等で記録される画像ファイル（画像データ）には、通常、露出情報や日付情報等の各種撮影情報も含まれ、この撮影情報も画像ファイルの一部としてデジタルカメラから印刷装置１に送られる。
【００３８】
次に、本実施例の作用を説明する。本実施例の印刷装置１は、各種印刷許可条件に基づいてデジタルカメラからの画像データの画像の印刷の可否を制御する印刷制御処理を行う。
【００３９】
すなわち、印刷装置１は、デジタルカメラＩ／Ｆ部６にデジタルカメラが接続されると（ステップＳ１０１）、デジタルカメラの情報を取得する（ステップＳ１０２）。このデジタルカメラの情報は、デジタルカメラを特定する情報、例えば、機種、機番等のデジタルカメラＩ／Ｆ部６を介してデジタルカメラから取得することのできる情報（以下、デジタルカメラ特定情報という。）であり、主制御部２がデジタルカメラＩ／Ｆ部６を介して該デジタルカメラＩ／Ｆ部６に接続されているデジタルカメラから取得する。
【００４０】
主制御部２は、次に、デジタルカメラのＲＡＭ等の内部メモリや外部メモリに格納されている画像のうち、印刷装置１で印刷させる画像（以下、印刷対象画像という。）の選択操作が操作者によって行われるが（ステップＳ１０３）、主制御部２は、この印刷対象の画像データの選択においては、デジタルカメラの外部メモリに格納されている画像データの選択を禁止し、内部メモリに記憶されている画像データに対してのみ選択操作を可能とする。
【００４１】
したがって、印刷装置１に現在接続されているデジタルカメラ以外のデジタルカメラで撮影されて画像データの格納されたＳＤカード等の着脱可能な外部メモリが、印刷装置１に現在接続されているデジタルカメラに挿入された場合に、その外部メモリに格納されている画像データを印刷対象の画像データとして選択することを禁止することができる。
【００４２】
主制御部２は、印刷対象の画像データが選択されると、デジタルカメラからデジタルカメラＩ／Ｆ部６を介して該印刷対象の画像データ（印刷対象画像ファイル）を取得して記憶部３に格納するとともに、該印刷対象画像ファイル（Ｅｘｉｆファイル等）に記載されている日付情報等の撮影情報（付加情報）を取得し（ステップＳ１０４）、印刷対象の画像データが印刷の許可されている画像データであるかチェックする（ステップＳ１０５）。
【００４３】
主制御部２は、この印刷対象の画像データが印刷の許可されている画像データであるか否かのチェックを、種々の印刷許可条件に基づいて判断する。すなわち、主制御部２は、ステップＳ１０２で取得したデジタルカメラ特定情報が予め記憶部３に印刷を許可するデジタルカメラとして登録されているデジタルカメラの特定情報と一致することであるデジタルカメラ個体印刷許可条件、印刷対象の画像データの画素数が予め記憶部３に印刷を許可する画素数として登録されている画素数と一致することである画素数印刷許可条件、印刷対象の画像ファイル（画像データ）のファイル形式が予め記憶部３に印刷を許可するファイル形式として登録されているファイル形式（例えば、ＴＩＦＦ（（Tagged Image File Format）形式等）と一致することであるファイル形式印刷許可条件、ステップＳ１０４で取得した撮影情報（付加情報）の日時情報（撮影日時情報）が予め記憶部３に印刷を許可する日時（撮影日時）として登録されている日時と一致することである日時情報印刷許可条件、ステップＳ１０４で取得した撮影情報（付加情報）の位置情報（撮影位置情報）が予め記憶部３に印刷を許可する位置（撮影位置）として登録されている位置と一致することである位置情報印刷許可条件に基づいて印刷が許可されている画像データであるか否か判断する。
【００４４】
主制御部２は、ステップＳ１０５の印刷許可条件の判断で、印刷が不許可であると、記憶部３に予め登録されている印刷が許可されていない旨の印刷許否レポートを読み出してプロッタ部５で用紙に印刷出力する印刷許否レポート印刷処理（報知出力）を行って、処理を終了する（ステップＳ１０６）。
【００４５】
主制御部２１は、ステップＳ１０５の印刷許可条件の判断で、印刷が許可されていると、表示操作部４の表示部に、所定の宛先に画像印刷を行う旨の電子メール（通知電子メール）による通知を行う旨及び該通知電子メールによる画像印刷通知の許可／不許可の選択を促す旨を表示し（ステップＳ１０７）、メール通知の許可を操作者が選択するかチェックする（ステップＳ１０８）。
【００４６】
主制御部２１は、ステップＳ１０８で、通知電子メールの送信による画像印刷通知が拒否されると、印刷対象の画像データの印刷を行うことなく、処理を終了し、通知電子メールによる画像印刷通知が許可されると、予め登録されている通知電子メールのメール本文を記憶部３から読み出して、該記憶部３に予め登録されているメールアドレス宛にネットワーク通信部７及びネットワークＮＷを介して送信する（ステップＳ１０９）。
【００４７】
この通知電子メールの送信先は、例えば、業務管理者やデジタルカメラ、印刷装置１等の機器管理者等である。また、この通知電子メールには、印刷対象の画像データを添付し、また、該電子メール本文に、上記ステップＳ１０４で取得したＥｘｉｆ等の印刷対象の画像データ（画像ファイル）に付加されている画像データ以外の撮影情報（付加情報）または／及び上記ステップＳ１０２でデジタルカメラＩ／Ｆ部６を介してデジタルカメラから取得したデジタルカメラ特定情報を記載する。
【００４８】
主制御部２は、通知電子メールの送信を行うと、記憶部３の印刷対象の画像データの画像をプロッタ部５に渡して、プロッタ部５で印刷処理を行って、処理を終了する（ステップＳ１１０）。
【００４９】
この画像印刷処理では、印刷装置１は、予め記憶部３に登録されている特定のフォーマット画像、例えば、業務用の画像であることを特定するようなフォーマット画像等に印刷対象の画像データの画像を埋め込んで印刷を行ってもよい。また、この画像印刷処理では、印刷装置１は、プロッタ部５の備えている複数の給紙トレイのうち予め記憶部３に登録されている特定の給紙トレイを選択して該給紙トレイからの用紙（例えば、予め業務用の画像であることを示す記載等のある用紙等）に印刷出力してもよい。
【００５０】
さらに、この画像印刷処理では、画像印刷要求がインデックスプリント要求である場合には、印刷装置１は、上記画素数印刷許可条件、ファイル形式印刷許可条件、日時情報印刷許可条件及び位置情報印刷許可条件のうち少なくとも１つの印刷許可条件の判断を満たす画像のみを選択し、該印刷可と判断された画像のみのインデックス画像を作成してプロッタ部５で印刷する。
【００５１】
このように、本実施例の印刷装置１は、デジタルカメラからの印刷対象の画像データの印刷処理に対して所定の印刷許可条件を設定し、該印刷許可条件が満たされている画像データの画像のみを印刷出力している。
【００５２】
したがって、利用性を向上させつつ、デジタルカメラの不正使用及び撮影された画像データの不正印刷を適切に防止することができ、業務用デジタルカメラ等の適切な利用と画像データの機密保護を図ることができる。
【００５３】
また、本実施例の印刷装置１は、デジタルカメラが予め印刷許可対象のデジタルカメラとして登録されているデジタルカメラであることを印刷許可条件として、印刷の可否を制御している。
【００５４】
したがって、業務用等として予め登録されているデジタルカメラからの画像データのみを印刷出力することができ、業務用デジタルカメラ等の適切な利用と画像データの機密保護をより一層適切に図ることができる。
【００５５】
さらに、本実施例の印刷装置１は、印刷対象の画像データがデジタルカメラに固定的に搭載されている内部メモリに格納されている画像データであることを印刷許可条件として、印刷の可否を制御している。
【００５６】
したがって、他のデジタルカメラで撮影された画像の保存されているＳＤカードメモリ等の外部メモリが印刷装置１に接続されているデジタルカメラに挿入されている場合等に該外部メモリの画像データを印刷対象として選択されることを防止して、業務用等として予め登録されているデジタルカメラからの画像データのみを印刷出力することができ、業務用デジタルカメラ等の適切な利用と画像データの機密保護をより一層適切に図ることができる。
【００５７】
また、本実施例の印刷装置１は、印刷対象の画像データが予め予め印刷許可対象の画素数として登録されている所定の画素数の画像データであることを印刷許可条件として、印刷の可否を制御している。
【００５８】
したがって、業務用等として予め設定した画素数の画像データの画像のみを印刷することができ、業務用デジタルカメラ等の適切な利用と画像データの機密保護をより一層適切に図ることができる。
【００５９】
さらに、本実施例の印刷装置１は、印刷対象の画像データが予め印刷許可対象のファイル形式として登録されている所定のファイル形式の画像データであることを印刷許可条件として、印刷の可否を制御している。
【００６０】
したがって、業務用等として予め設定したファイル形式の画像データの画像のみを印刷することができ、業務用デジタルカメラ等の適切な利用と画像データの機密をより一層適切に図ることができる。
【００６１】
また、本実施例の印刷装置１は、印刷対象の画像データに付加されている付加情報としての日時情報が予め印刷許可対象の日時として登録されている所定の日時であることを印刷許可条件として、印刷の可否を制御している。
【００６２】
したがって、業務用等として予め設定した日時に撮影された画像データの画像のみを印刷することができ、業務用デジタルカメラ等の適切な利用と画像データの機密保護をより一層適切に図ることができる。
【００６３】
さらに、本実施例の印刷装置１は、印刷対象の画像データに付加されている付加情報としての位置情報が予め印刷許可対象の位置として登録されている所定の位置であることを印刷許可条件として、印刷の可否を制御している。
【００６４】
したがって、業務用等として予め設定した位置で撮影された画像データの画像のみを印刷することができ、業務用デジタルカメラ等の適切な利用と画像データの機密保護をより一層適切に図ることができる。
【００６５】
また、本実施例の印刷装置１は、インデックス印刷を行う場合、印刷許可条件を満たす画像データの画像のみでインデックス印刷している。
【００６６】
したがって、インデックス印刷においても画像データの機密を確保することができるとともに、通常印刷できる画像のみでインデックス印刷を行って、利用性を向上させることができる。
【００６７】
さらに、本実施例の印刷装置１は、印刷対象の画像データが印刷許可条件を満たさず印刷不可の場合、その旨を報知出力している。
【００６８】
したがって、業務用等の目的以外で撮影された画像の印刷をより一層適切に防止し、利用性を向上させつつ、画像データの機密をより一層適切に確保することができる。
【００６９】
また、本実施例の印刷装置１は、印刷対象の画像データの画像を印刷する場合、所定のフォーマット画像に該印刷対象の画像データの画像を埋め込んで印刷している。
【００７０】
したがって、例えば、業務用であることの明示されているフォーマット画像等に埋め込んで画像印刷することができ、画像データの機密をより一層適切に確保することができる。
【００７１】
さらに、本実施例の印刷装置１は、印刷対象の画像データの画像を印刷する場合、予め設定されている所定の印刷媒体に対してのみ印刷出力している。
【００７２】
したがって、業務用であることの明示されている用紙等に画像を印刷することができ、画像データの機密をより一層適切に確保することができる。
【００７３】
また、本実施例の印刷装置１は、印刷対象の画像データの画像を印刷出力する場合、該印刷対象の画像データの画像の印刷出力に先立って所定の宛先に該画像の印刷を行う旨を通知する通知電子メールを送信している。
【００７４】
したがって、業務用等のデジタルカメラの画像データの画像が印刷されることを業務管理者やデジタルカメラ、印刷装置１等の機器管理者等に電子メールで通知することができ、デジタルカメラや印刷装置１の適切な使用と画像データの機密保護をより一層適切に確保することができる。
【００７５】
さらに、本実施例の印刷装置１は、通知電子メールに印刷対象の画像データを添付して送信している。
【００７６】
したがって、業務管理者やデジタルカメラ、印刷装置１等の機器管理者等に電子メールでどのような画像が印刷されるかを通知することができ、デジタルカメラや印刷装置１の適切な使用と画像データの機密保護をより一層適切に確保することができる。
【００７７】
また、本実施例の印刷装置１は、通知電子メールの送信に先立って、該通知電子メールの送信に対する許可／不許可の問い合わせを報知出力し、該通知電子メールの送信に対して許可があった場合のみ、該通知電子メールを送信した後、該通知電子メールにかかる印刷対象の画像データの画像の印刷出力を行っている。
【００７８】
したがって、デジタルカメラの利用及び印刷装置１の適切な利用をより一層図ることができるとともに、画像データの機密保護をより一層適切に向上させることができる。
【００７９】
さらに、本実施例の印刷装置１は、通知電子メールに、印刷対象の画像データに付加されている付加情報のうち所定の情報を記載している。
【００８０】
したがって、通知電子メールに撮影日時情報や撮影場所情報等の付加情報を電子メールに記載して業務管理者やデジタルカメラ、印刷装置１等の機器管理者等に通知することができ、デジタルカメラや印刷装置１の適切な使用と画像データの機密をより一層適切に確保することができる。
【００８１】
また、本実施例の印刷装置１は、デジタルカメラから該デジタルカメラを特定するデジタルカメラ特定情報を取得して、該デジタルカメラ特定情報を通知電子メールに記載している。
【００８２】
したがって、どのデジタルカメラの画像データの画像を印刷するかを通知電子メールに記載して業務管理者やデジタルカメラ、印刷装置１等の機器管理者等に通知することができ、デジタルカメラや印刷装置１の適切な使用と画像データの機密をより一層適切に確保することができる。
【００８３】
以上、本発明者によってなされた発明を好適な実施例に基づき具体的に説明したが、本発明は上記のものに限定されるものではなく、その要旨を逸脱しない範囲で種々変更可能であることはいうまでもない。
【産業上の利用可能性】
【００８４】
本発明は、デジタルカメラから直接画像データを受け取って印刷する印刷装置、印刷制御プログラム及び記録媒体に利用することができる。
【図面の簡単な説明】
【００８５】
【図１】本発明の一実施例を適用した印刷装置の要部ブロック構成図。
【図２】図１の印刷装置による印刷制御処理を示すフローチャート。
【符号の説明】
【００８６】
１  印刷装置
２  主制御部
３  記憶部
４  表示操作部
５  プロッタ部
６  デジタルカメラＩ／Ｆ部
７  ネットワーク通信部
８  バス
ＮＷ  ネットワーク
【図１】
2008270934.tif 000003
【図２】
2008270934.tif 000004